(57)【特許請求の範囲】
【請求項１】
基体部とトップ部を結合する装身具用ジョイントであり、ジョイント構成部材に保存物を格納する穴を設け、保存物を格納した該穴の内部からジョイント構成部材表面に達する空間に封止部材を設けたことを特徴とする装身具用ジョイント。
【請求項２】
請求項１に記載された装身具用ジョイントにおいて、
前記保存物が遺品であることを特徴とする装身具用ジョイント。
【請求項３】
請求項１又は２に記載された装身具用ジョイントにおいて、
前記封止部材が蝋であることを特徴とする装身具用ジョイント。
【請求項４】
請求項１又は２に記載された装身具用ジョイントにおいて、
前記封止部材がネジ付の蓋であることを特徴とする装身具用ジョイント。
【請求項５】
請求項１乃至４のいずれかに記載された装身具用ジョイントにおいて、
前記保存物を格納する穴が有底の垂直穴であることを特徴とする装身具用ジョイント。
【請求項６】
請求項１乃至４のいずれかに記載された装身具用ジョイントにおいて、
前記保存物を格納する穴が有端の水平穴であることを特徴とする装身具用ジョイント。
【発明の詳細な説明】
【技術分野】
【０００１】
この発明は装身具用ジョイントに関し、装身具に用いる基体部（使用者が装着・携帯に直接用いる部分）とトップ部を結合するジョイントに保存物を格納可能とした装身具用ジョイントに関する。
【背景技術】
【０００２】
人間には、個人にとって重要な意味を持ち、大切にしているものもしくは情報（情報媒体に表現された個人情報等）を身近に永く保存しておきたい、という欲求がある。例えば、故人の遺品が端的な例であり、従来からメモリアル製品として様々なものが考えられている。
メモリアル製品として従来提案されたなかに、故人及び故ぺット（愛玩動物）のお骨等を装身具内に保存するものがある。
【０００３】
装身具にお骨等を保存する従来例の１つは、ペンダント等のトップ部の宝飾用の石、金属などに円柱状の穴を開け、開けた穴の中にお骨や遺髪などを格納するもので、格納用の穴に保存物を入れた後、穴を塞ぐことにより内容物を保存する。この方法をとる従来例として挙げることができる下記特許文献１では、円柱状とした格納用の穴に保存物を入れた後、石などと同等の高度を持つ充填剤で穴を塞ぎ、その表面を磨く等の処理を施して、美観を損なうことなく保存物の損失を防ぐようにしている。
他の従来例としてカプセル状の筒型容器に保存物を入れ、カプセル上部に設けたねじでトップ部に取り付けることにより、固定しかつ入口を塞ぐようにするものがある。
【先行技術文献】
【特許文献】
【０００４】
【特許文献１】特開２００６−１７４９３８号公報
【発明の概要】
【発明が解決しようとする課題】
【０００５】
しかしながら、トップ部の宝飾用の石などに格納用の円柱状の穴を開ける方法によると、石が大きくなくては加工をすることができないために、希少な石では高額なものになってしまい、トップ部に用いる材料が限られてしまう。この点は、トップ部が石ではなく、希少金属の場合にも同様の問題が生じる。
また、カプセル状の容器をカプセル上部に設けたねじでトップ部に取り付ける方法によると、筒型のカプセルに作用する衝撃などによって上部のねじが緩みやすく、筒型容器の落下により保存物を損失する恐れがある。
なお、トップ部の石や金属などに円柱状の穴を開ける上記方法でも、多くの場合に石や金属の下部に穴を開けるので、穴の封止部材が損傷すると、同様に保存物の落下が起き、損失する恐れがある。
本発明は、身近に永く保存しておきたい遺品等の物品を保存する格納部を設けた装身具における上記した従来技術の問題に鑑みてなされたものであり、その目的は、格納した保存物の損失が起き難く、広く各種の装身具において当該保存物を格納できるようにすることにある。
【課題を解決するための手段】
【０００６】
本発明は、基体部とトップ部を結合する装身具用ジョイントであり、ジョイント構成部材に保存物を格納する穴を設け、保存物を格納した該穴の内部からジョイント構成部材表面に達する空間に封止部材を設けたことを特徴とする。
【発明の効果】
【０００７】
本発明によれば、トップ部が装身具用ジョイントから外れることがあっても、装身具用ジョイントが使用者から外れることはまれであり、従来トップ部に設けた穴に保存物を格納するようにしたのに比べ、格納した保存物の損失が起き難くなり、身近に永く保存しておきたい物品（遺品等）を装身具に格納するための最適な場所を提供する。
また、装身具用ジョイントに保存物を格納する穴を設けたことで、トップ部に当該穴を加工する従来例とは違い、トップ部はそのままでよく、どんなトップ部も用いることが可能であり、広く各種の装身具に適用できる。
【図面の簡単な説明】
【０００８】
【図１】装身具用ジョイント（バチカン）を用いたネックレスの１例を示す図である。
【図２】ネックレス（図１）に適用した本発明に係る装身具用ジョイント（バチカン）の１実施形態を示す図である。
【図３】ネックレス（図１）に適用した本発明に係る装身具用ジョイント（バチカン）の他の実施形態を示す図である。
【図４】装身具用ジョイント（バチカン）の従来例を示す図である。
【発明を実施するための形態】
【０００９】
本発明は、身近に永く保存しておきたい物品を装身具に格納するというアイデアを実現するために、従来提案された宝石等のトップ部に設けることに変えて、装身具用ジョイント（以下、単に「ジョイント」という）に格納用の穴を設け、そこに保存物を格納する。このジョイントは、使用者が装着するネックレス、ブレスレット、指輪などの装飾品や使用者が携帯するキーホルダー、ストラップなどの装身具の基体部とトップ部を結合する部品である。
例えば、ペンダントを付けたネックレスの場合、ジョイントは、基体部としての鎖にトップ部としてのペンダント（下げ飾り）とを結合する部材（後記する図１に示すバチカン１０）である。ネックレス、ブレスレット、指輪のような装飾品では、トップ部はチャームともいわれ、宝石等の飾りが用いられる。また、例えば、キーホルダーの場合、基体部としてのホルダ本体にトップ部に当たるキーを結合する部材で、複数キーを束ねて保持する形の部材がよく見られる例である。
【００１０】
ジョイントは、使用者が装着や携帯に直接用いる基体部の側にあり、通常トップ部を結合するために強固なつくりの部材である。このため、トップ部（ネックレスの場合、ペンダント）を損失することがあっても、基体部（ネックレスの場合、鎖）が損傷する等によって、失われない限り、ジョイントは無事であり、ジョイント内に格納した保存物の損失を起き難くする。
また、ジョイントに保存物を格納するようにしたので、トップ部に格納用の穴を加工する方法をとる従来技術のように、希少な石や金属を用いることが制約条件になることなく、どんなトップ部も用いることが可能になり、さらにジョイントを各種のトップ部に共用する形式をとること（例えば、キーや携帯電話等に共用するストラップのジョイント）で、広く諸種の装身具に適用できる。
なお、上記ジョイントは、基体部と別体として装着自在にする例のほか、基体部の一部をジョイントとしてトップ部を結合する形としてもよい。
【００１１】
ジョイント内に格納する保存物は、身近で大切に保存したいものを対象にする。例えば、人や動物（ペット）の遺品もしくは記念品で、ジョイントに設けた格納用の穴に納めることができる大きさを持つもの（お骨、毛髪等）が対象になる。
また、上記以外に、装身具の使用者にとって重要な情報（例えば、財産の管理や健康管理に必要な個人情報など）を電子化データとして記録したマイクロチップが対象になる。こうした情報を対象にする場合、マイクロチップをジョイント内に格納した状態で、外部から情報を読み出せるような方法により保存できるようにするとよい。ただ、情報内容によっては、使用者だけがアクセスできるようにして、個人情報の漏洩を防ぐための手段を講じる必要がある。
【００１２】
以下、本発明の装身具用ジョイントの実施形態として、ペンダントを下げたネックレスへの適用例について、添付図を参照して説明する。
図１は、装身具用ジョイントを用いたネックレスの１例を示す図である。同図において、ネックレス５０は、正常な状態で首に装着されたときに、その状態を正面から見た場合の図を表している。
図１に示すネックレス５０は、使用者が首の周りに直接装着する鎖（基体部）３０と、ペンダント（トップ部）２０と、ペンダント２０を鎖３０に結合するジョイントとしてのバチカン１０を要素とする。
【００１３】
図１に示す要素でネックレス５０を構成すること自体は、従来製品と変わらない。ただ、上述のように、この実施形態では、ジョイントとしてのバチカン１０に特徴がある。
因みに、この種のネックレスにおける従来のバチカンについて、図４を参照して説明する。図４は、バチカン単体を示し、図（Ａ）は正面図で、図１のバチカン１０と同じ方向から見た図である。また、同図（Ｂ）は側面から見た図を示している。図（Ｂ）に示すように、従来のバチカン１０´は、側面図（Ｂ）に表わすように、鎖３０とペンダント２０の吊下げ部２２とを挿通する孔１２´を有した環状の部材である。
バチカン１０´の孔１２´に鎖３０とペンダント２０の吊下げ部２２をともに挿通することで、ペンダント２０はバチカン１０´を介して鎖３０に結合される。
【００１４】
本実施形態のバチカン１０の構成を説明する。
本実施形態のネックレス５０のバチカン１０は、ペンダント２０と鎖３０を結合する（図１参照）本来のジョイントとしての機能を有するほかに、遺品等の保存物を格納する場所を提供する。このためにバチカン１０を構成する部材に穴を設け、設けた穴を格納場所とし、この内部に保存物を格納した後、保存物を格納した該穴の内部からバチカン構成部材表面に達する空間に封止部材を設ける。
保存物を格納する穴は微細であり、穴あけ加工が適当である。バチカン１０には金属材料を通常用いているので、金属に微細な穴をあける従来の穴あけ加工法によって、必要な大きさの穴を加工することができる。
【００１５】
また、上記穴の封止部材には、封止剤や蓋部材を用いることができる。封止剤の場合は、穴を閉じる状態で封止剤を注入し、その後、その状態で固化する蝋、樹脂等を用いる、これらの材料は、保存物を変質させないものを選ぶ必要がある。蓋部材の場合は、保存物を格納した穴の開口を蓋部材で塞ぎ、塞いだ状態で固定できるようにする。
穴に格納した保存物を取り出し、再利用できるようにすることを考慮する場合には、元の状態で保存物を取り出すことが望ましい。このため、穴の封止部材として、例えば、熱を加えることによって封止状態を解くことができる蝋や樹脂を採用すること、或いは、蓋部材では、ネジ付の蓋部材として蓋を開閉可能にすることによって、保存物を再利用できる状態に復元可能とする。
【００１６】
保存物を格納する穴をバチカン１０にどのように設けるかは、以下（１）〜（３）に例示する点が必要な条件となる。
（１）穴の気密性を高くし、封止部材の損傷を防いで保存性能を高める。
（２）封止部材が損傷しても、簡単に保存物を損失しないようにする。
（３）本来のジョイントとしての機能を保ち、かつコンパクトな部品とする。
【００１７】
上記（１）は、突き抜けない穴、即ち、有端（有底）の穴の奥に保存物を格納し、表面に達する空間に封止部材を設け、また、穴の位置は、外部から強い衝撃が作用し、しかも磨耗を受けやすい例えば、バチカン１０の下部のような部分の近辺を避け、封止部材を損傷し難くする。
上記（２）は、下向きに穴の開口をすると、損傷した封止部材が外れ、保存物が落下しやすくなるので、このような設計を避ける。
上記（３）は、本来のジョイントの強度を保つように穴を設けるとともに、サイズの大型化を避けた設計とする。
上記（１）〜（３）の条件を考慮した実施形態として、以下の２形態を例示する。
【００１８】
「実施形態１」
図２は、この実施形態のバチカン１０の構成を示す図である。図２中の図（Ａ）は正面図で、図１のバチカン１０と同じ方向から見た図である。また、同図（Ｂ）は側面から見た図を示している。
図２に示す実施形態のバチカン１０は、側面図（Ｂ）に表わすように、鎖３０とペンダント２０の吊下げ部２２とを挿通する孔１２を有した環状の結合部材である。なお、孔１２に鎖３０とペンダント２０の吊下げ部２２をともに挿通することで、ペンダント２０はバチカン１０を介して鎖３０に結合される点は、図１を参照して述べたとおりである。
ただ、本実施形態のバチカン１０としての結合部材は、図４に示した従来例に示すものと違い、保存物を格納するために微細な穴１１を設けるので、この部分が肉厚になる。
穴１１は、この肉厚部分において、図２（Ｂ）において部分断面にて示すように、上方に向けて開口する有底の垂直穴として形成する。この穴１１の内部に保存物１５を格納し、そこから結合部材の表面開口に達する空間に封止部材１３を設ける。
【００１９】
このように、穴１１は、上方に向けて開口するので、外部から強い衝撃が作用し、しかも磨耗を受けやすい下部に設けた場合に比べ、封止部材１３が損傷し難くなり、保存物１５の保存性能を高める。さらに、有底の垂直穴１１の内部に保存物１５を格納し、封止部材１３によって封止したことにより、例え、封止部材１３が損傷して外れたとしても、直ちに保存物１５が落下することがなく、損失を防ぐことが可能になる。
なお、この実施形態では、垂直穴１１として設けたが、上方に向けて開口するような形態をとれば、必ずしも垂直である必要がないので、トップ部に穴を加工した従来例のようにトップ部材の中心という限られた位置に設けなければならない、といった制約を受けずに自由に加工が可能であり、最適な位置に穴を設けることができる。
【００２０】
「実施形態２」
図３は、この実施形態のバチカン１０の構成を示す図である。図３中の図（Ａ）は正面図で、図１のバチカン１０と同じ方向から見た図である。また、同図（Ｂ）は側面から見た図を示している。
図３に示す実施形態のバチカン１０は、側面図（Ｂ）に表わすように、鎖３０を挿通する孔１２ａとペンダント２０の吊下げ部２２を挿通する孔１２ｂとを別に有した結合部材である。なお、孔１２ａに鎖３０、孔１２ｂにペンダント２０の吊下げ部２２をそれぞれ挿通することで、ペンダント２０はバチカン１０を介して鎖３０に結合される。
また、バチカン１０としてのこの結合部材には、保存物を格納するための微細な穴１１を設ける。この実施形態では、この穴１１は、図３（Ａ）において部分断面にて示すように、側面に向けて開口する有端の水平穴とし、孔１２ａと孔１２ｂの中心間でこれらにほぼ平行に形成する。よって、図３（Ｂ）に示すように、孔１２ａ、孔１２ｂ、穴１１が垂直方向に並んで設けられ、その分、図４に示した従来例に示すものに比べて、サイズが大きくなり、やや複雑な形状になる。
穴１１の内部に保存物１５を格納し、そこから結合部材の表面開口に達する空間に封止部材１３を設ける。
【００２１】
このように、穴１１は、側面に向けて開口するので、外部から強い衝撃が作用し、しかも磨耗を受けやすい下部に設けた場合に比べ、封止部材１３が損傷し難くなり、保存物１５の保存性能を高める。さらに、有端の水平穴１１の内部に保存物１５を格納し、封止部材１３によって封止したことにより、例え、封止部材１３が損傷して外れたとしても、直ちに保存物１５が落下することがなく、損失を防ぐことが可能になる。
なお、この実施形態では、水平穴１１を孔１２ａと孔１２ｂの中心間でこれらにほぼ平行に設けたので、バチカン１０全体の形状の対称性を損なうことがなく、従来のデザインを大きく変更することもないので、広い用途への適性を有するバチカンを提供することができる。
【符号の説明】
【００２２】
１０，１０´・・バチカン（装身具用ジョイント）、１１・・穴（保存物格納用）、１２，１２ａ，１２ｂ，１２´・・孔、１３・・封止部材、１５・・保存物、２０・・ペンダント（トップ部）、２２・・吊下げ部、３０・・鎖（基体部）、５０・・ネックレス（装身具）。
【図１】
0005479932.tif 000002
【図２】
0005479932.tif 000003
【図３】
0005479932.tif 000004
【図４】
0005479932.tif 000005